(57)【要約】【課題】被剥離部材を剥離すると共に、遮蔽カバーを保護できる剥離工具を提供すること。【解決手段】本発明に係る剥離工具は、被剥離部材を電子装置の遮蔽カバーから剥離するために用いられて、ハンドルと、前記ハンドルの一端に設けられ、前記被剥離部材に係合することができるオープン部と、前記ハンドルの一端の前記オープン部の近傍に設けられ且つ前記オープン部と前記ハンドルの他端との間に位置し、前記被剥離部材を押さえ付けることにより、前記被剥離部材を前記遮蔽カバーに対して断裂させる押圧部と、を備える。【選択図】図３
2012011542.tif 000002
【特許請求の範囲】
【請求項１】
被剥離部材を電子装置の遮蔽カバーから剥離するために用いられる剥離工具であって、
ハンドルと、
前記ハンドルの一端に設けられ、前記被剥離部材に係合することができるオープン部と、
前記ハンドルの一端の前記オープン部の近傍に設けられ且つ前記オープン部と前記ハンドルの他端との間に位置し、前記被剥離部材を押さえ付けることにより、前記被剥離部材を前記遮蔽カバーに対して断裂させる押圧部と、
を備えることを特徴とする剥離工具。
【請求項２】
前記剥離工具は剥離部材をさらに備え、前記ハンドルの一端には、垂直方向に沿って前記剥離部材を固定するための固定孔が設けられ、前記オープン部及び前記押圧部は全て前記剥離部材に設けられることを特徴とする請求項１に記載の剥離工具。
【請求項３】
前記剥離工具は補強部材をさらに備え、前記ハンドルの一端には、前記固定孔に交差して連通する収容孔が設けられ、前記補強部材が前記収容孔に嵌合され且つ前記剥離部材に当止されることを特徴とする請求項２に記載の剥離工具。
【請求項４】
前記オープン部は、柱体及び前記柱体の末端に設けられる係合頭部を備え、前記係合頭部の横断面は前記柱体の横断面より大きいことを特徴とする請求項１から３のいずれか１項に記載の剥離工具。
【請求項５】
被剥離部材を電子装置の遮蔽カバーから剥離するために用いられ、
ハンドルと、
前記ハンドルの一端に設けられ且つ前記被剥離部材に係合することができるオープン部と、
前記ハンドルの一端の前記オープン部の近傍に設けられる押圧部と、
を備え、
前記オープン部を前記被剥離部材に係合させてから、前記ハンドルを第一方向に沿って回転させると、前記押圧部は前記被剥離部材を押さえ付けてそれを前記遮蔽カバーに対して断裂させ、
その後、前記ハンドルを前記第一方向に相反する方向に沿って回転させると、前記被剥離部材が前記オープン部に誘導されて前記遮蔽カバーから剥離されることを特徴とする剥離工具。
【請求項６】
前記被剥離部材には貫通孔が設けられ、前記オープン部は前記貫通孔に係合されることを特徴とする請求項１から５のいずれか１項に記載の剥離工具。
【請求項７】
被剥離部材を遮蔽カバーから剥離するために用いられる剥離方法であって、
被剥離部材を有する遮蔽カバーを準備し、且つ前記被剥離部材と前記遮蔽カバーとの間には割れ目が存在するステップと、
ハンドルと、前記ハンドルの一端に設けられるオープン部及び押圧部と、を備える剥離工具を準備するステップと、
前記オープン部を前記被剥離部材に係合させ、前記押圧部が前記被剥離部材に当止するステップと、
前記ハンドルを第一方向に沿って回転させて、前記押圧部により前記被剥離部材を押さえ付けて、前記被剥離部材を前記割れ目に沿って前記遮蔽カバーに対して断裂させるステップと、
前記ハンドルを第一方向に相反する方向に沿って回転させて、前記オープン部により前記被剥離部材を前記遮蔽カバーから剥離するステップと、
を備えることを特徴とする剥離方法。
【発明の詳細な説明】
【技術分野】
【０００１】
本発明は、剥離工具に関し、特に電子装置の遮蔽カバーから被剥離部材を剥離するための剥離工具及びその剥離方法に関するものである。
【背景技術】
【０００２】
現在、携帯電話及びパソコン等の電子装置は、一般的に回路基板及び前記回路基板に溶接される遮蔽カバーを備える。前記遮蔽カバーには、通常、被剥離部材が設けられている。電子装置の遮蔽カバー上の被剥離部材で遮蔽したエリアに対して検査或いはメンテナンスをする場合、前記被剥離部材を剥離してから作業する。しかし、従来の剥離工具を利用する場合、前記遮蔽カバー全体が前記回路基板から抜ける問題がよく発生する。特に、剥離し始める時、加える外力の大きさが大きいので、遮蔽カバーを破損し易い。
【発明の概要】
【発明が解決しようとする課題】
【０００３】
本発明は、上記の問題点を解消するためのもので、被剥離部材を剥離すると共に、遮蔽カバーを保護できる剥離工具を提供することを目的とする。
【課題を解決するための手段】
【０００４】
上記の目的を達成するために、本発明に係る剥離工具は、被剥離部材を電子装置の遮蔽カバーから剥離するために用いられて、ハンドルと、前記ハンドルの一端に設けられ、前記被剥離部材に係合することができるオープン部と、前記ハンドルの一端の前記オープン部の近傍に設けられ且つ前記オープン部と前記ハンドルの他端との間に位置し、前記被剥離部材を押さえ付けることにより、前記被剥離部材を前記遮蔽カバーに対して断裂させる押圧部と、を備える。
【０００５】
また、上記の目的を達成するために、本発明に係る剥離工具は、被剥離部材を電子装置の遮蔽カバーから剥離するために用いられて、ハンドルと、前記ハンドルの一端に設けられ且つ前記被剥離部材に係合することができるオープン部と、前記ハンドルの一端の前記オープン部の近傍に設けられる押圧部と、を備える。前記オープン部を前記被剥離部材に係合してから、前記ハンドルを第一方向に沿って回転させると、前記押圧部は前記被剥離部材を押さえ付けてそれを前記遮蔽カバーに対して断裂させる。その後、前記ハンドルを前記第一方向に相反する方向に沿って回転させると、前記被剥離部材が前記オープン部に誘導されて前記遮蔽カバーから剥離される。
【０００６】
また、上記の目的を達成するために、本発明に係る剥離方法は、被剥離部材を遮蔽カバーから剥離するために用いられて、被剥離部材を有する遮蔽カバーを準備し、且つ前記被剥離部材と前記遮蔽カバーとの間には割れ目が存在するステップと、ハンドルと、前記ハンドルの一端に設けられるオープン部及び押圧部と、を備える剥離工具を準備するステップと、前記オープン部を前記被剥離部材に係合させ、前記押圧部を前記被剥離部材に当止させるステップと、前記ハンドルを第一方向に沿って回転させて、前記押圧部により前記被剥離部材を押さえ付けて、前記被剥離部材を前記割れ目に沿って前記遮蔽カバーに対して断裂させるステップと、前記ハンドルを第一方向に相反する方向に沿って回転させて、前記オープン部により前記被剥離部材を前記遮蔽カバーから剥離するステップと、を備える。
【発明の効果】
【０００７】
本発明の実施形態によれば、前記剥離工具１００を使用する場合、まず前記剥離工具１００を回転させて、その上の押圧部２６により被剥離部材３２０に押圧力を加えて、前記被剥離部材３２０を前記遮蔽カバー３００に対して断裂させてから、反対方向に沿って前記剥離工具１００を回転させて、その上のオープン部２４により前記被剥離部材３２０と共に遮蔽カバー３００から抜くことができるので、本発明の剥離工具１００は、使用するのに便利である。しかも、上記の剥離過程において、前記被剥離部材３２０が前記遮蔽カバー３００に対して断裂された後に前記遮蔽カバー３００から剥がされるので、前記被剥離部材３２０を剥離するとき、前記遮蔽カバー３００全体は前記回路基板２００から離脱せず、前記遮蔽カバー３００を効果的に保護する。
【図面の簡単な説明】
【０００８】
【図１】本発明の剥離工具の分解図である。
【図２】図１に示した剥離工具の組立図である。
【図３】図１に示した剥離工具の使用状態を示す図である。
【図４】図３に示したＩＶ部を拡大して示す図である。
【図５】図１に示した剥離工具の他の使用状態を示す図である。
【図６】図５に示したＶＩ部を拡大して示す図である。
【図７】図５に示した剥離工具で遮蔽カバー上の被剥離部材を剥離した状態を示す図である。
【図８】図７に示したＶＩＩＩ部を拡大して示す図である。
【発明を実施するための形態】
【０００９】
図１及び図７に示したように、本発明の剥離工具１００は、被剥離部材３２０を遮蔽カバー３００から剥離するために用いられて、ハンドル１０と、前記ハンドル１０の一端に設けられる剥離部材２０と、前記剥離部材２０を前記ハンドル１０に固定するための補強部材３０と、を備える。
【００１０】
前記ハンドル１０は、オープン端１２及び操作端１４を備える。前記オープン端１２には、前記剥離部材２０を固定するための固定孔１２２及び前記補強部材３０を固定するための収容孔１２４が設けられている。固定孔１２２は、ハンドル１０の長手方向に対して垂直に延在する。前記固定孔１２２と前記収容孔１２４とは、互いに交差して連通する。
【００１１】
前記剥離部材２０は、本体部２２、前記本体部２２の一端に設けられるオープン部２４及び押圧部２６を備える。前記本体部２２は、前記ハンドル１０の固定孔１２２内に緊密に嵌合される。前記オープン部２４は、前記本体部２２の端面から突出する柱体２４２及びこの柱体２４２の末端に設けられる係合頭部２４４を備える。前記係合頭部２４４の横断面は、前記柱体２４２の横断面より大きい。前記押圧部２６は、前記オープン部２４の近傍に設けられ且つ前記オープン部２４と前記ハンドル１０との間に位置して、前記被剥離部材３２０を押さえ付けて、それを前記遮蔽カバー３００に対して断裂させる。
【００１２】
前記補強部材３０は、前記ハンドル１０の収容孔１２４内に螺合され、且つ前記剥離部材２０の外面に当止されて、前記剥離部材２０を前記固定孔１２２内に強固に固定させる。
【００１３】
図３に示したように、前記遮蔽カバー３００は、電子装置の回路基板２００を被覆して固定される。前記遮蔽カバー３００の上面には、複数の貫通孔３２２を有する被剥離部材３２０が設けられている。前記被剥離部材３２０と前記遮蔽カバー３００との間には、割れ目３２４が設けられている。前記剥離部材２０のオープン部２４は、前記貫通孔３２２を貫通して前記貫通孔３２２内に係合され、且つ前記被剥離部材３２０に当止する。前記割れ目３２４が存在するため、前記被剥離部材３２０は、前記遮蔽カバー３００に対して断裂し易くなる。
【００１４】
図２に示したように、前記剥離工具１００を組み立てる場合、前記剥離部材２０の本体部２２を前記ハンドル１０の固定孔１２２内に押し込んでから、前記補強部材３０を前記ハンドル１０の収容孔１２４内に螺合して、前記補強部材３０を前記本体部２２の周面に当止させる。以上により、前記剥離工具１００を一体に組み立てる。
【００１５】
以下、図３乃至図８を参照しながら、本発明の剥離工具１００を利用して前記遮蔽カバー３００から前記被剥離部材３２０を剥離する過程を説明する。まず、前記剥離部材２０のオープン部２４を前記被剥離部材３２０の貫通孔３２２内に挿入してから、前記オープン部２４を図３及び図４に示す位置に移動して、前記オープン部２４の柱体２４２を前記貫通孔３２２の周壁に当止させて、前記オープン部２４を前記貫通孔３２２内に係合させる。次に、図３に示す第一矢印方向Ａに沿って前記ハンドル１０を回転させると、前記押圧部２６は、前記割れ目３２４に沿って前記被剥離部材３２０に押圧力を加えて、前記被剥離部材３２０を前記遮蔽カバー３００に対して断裂させる。続いて、前記オープン部２４を図５及び図６に示す位置に移動して、前記オープン部２４を再び前記貫通孔３２２内に係合させてから、図５に示す第二矢印方向Ｂ（即ち、第一矢印方向Ａの反対方向）に沿って前記ハンドル１０を回転させると、前記ハンドル１０のオープン部２４は、前記被剥離部材３２０の貫通孔３２２を有する片隅と共に前記遮蔽カバー３００に対して剥離させる。このようにして、前記第二矢印方向Ｂに沿って前記ハンドル１０を継続的に回転させると、前記被剥離部材３２０が前記遮蔽カバー３００から抜ける（図７及び図８を参照）。
【００１６】
本発明の実施形態によれば、前記剥離工具１００を使用する場合、まず前記剥離工具１００を回転させて、その上の押圧部２６により前記被剥離部材３２０に押圧力を加えて、前記被剥離部材３２０を前記遮蔽カバー３００に対して断裂させてから、反対方向に沿って前記剥離工具１００を回転させて、前記オープン部２４により前記被剥離部材３２０と共に前記遮蔽カバー３００から抜くことができるので、本発明の剥離工具１００は、使用するのに便利である。しかも、上記の剥離過程において、前記遮蔽カバー３００上の被剥離部材３２０が前記遮蔽カバー３００に対して断裂された後に前記遮蔽カバー３００から剥がされるので、前記被剥離部材３２０を剥離するとき、前記遮蔽カバー３００全体は前記回路基板２００から離脱せず、前記遮蔽カバー３００を効果的に保護する。
【００１７】
以上、本発明の好適な実施形態について詳細に説明したが、本発明は前記実施形態に制限されるものではなく、本発明の範囲内で種々の変形又は修正が可能であり、該変形又は修正もまた、本発明の特許請求の範囲内に含まれるものであることは、いうまでもない。
【符号の説明】
【００１８】
１０              ハンドル
１２              オープン端
１４              操作端
２０              剥離部材
２２              本体部
２４              オープン部
２６              押圧部
３０              補強部材
１００            剥離工具
１２２            固定孔
１２４            収容孔
２００            回路基板
２４２            柱体
２４４            係合頭部
３００            遮蔽カバー
３２０            被剥離部材
３２２            貫通孔
３２４            割れ目
【図１】
2012011542.tif 000003
【図２】
2012011542.tif 000004
【図３】
2012011542.tif 000005
【図４】
2012011542.tif 000006
【図５】
2012011542.tif 000007
【図６】
2012011542.tif 000008
【図７】
2012011542.tif 000009
【図８】
2012011542.tif 000010